(57)【要約】  光モジュールは、ケージに挿抜されるケースの前面に設けられ、回動するベイルと、ベイルの回動に連動し、ケースの前後方向にスライドするスライド板と、スライド板に設けられ、ケージの係合片に係合自在であり、ベイルの回動時に連動するスライド板のスライドにより係合状態が解除される係合片と、を備え、ベイルとスライド板は、一体化された板金を折り曲げた状態に形成した。
2012132018.tif 000002
【特許請求の範囲】
【請求項１】
ケージに挿抜されるケースの前面に設けられ、回動するベイルと、
前記ベイルの回動に連動し、ケースの前後方向にスライドするスライド板と、
前記スライド板に設けられ、前記ケージの係合片に係合自在であり、前記ベイルの回動時に連動する前記スライド板のスライドにより係合状態が解除される係合片と、を備え、
前記ベイルと前記スライド板は、一体化された板金を折り曲げた状態に形成したことを特徴とする光モジュール。
【請求項２】
前記ベイルと、前記スライド板は、薄厚のバネ部を介して一体化されたことを特徴とする請求項１に記載の光モジュール。
【請求項３】
前記バネ部は、前記ベイルと、前記スライド板との間で所定のバネ力を発生させ、前記スライド板に対し前記ベイルが所定角度となるよう付勢することを特徴とする請求項２に記載の光モジュール。
【請求項４】
前記バネ部は、前記ベイルと、前記スライド板との間で所定のバネ力を発生させ、前記ベイルを前記ケース前面に設けられた光コネクタの前部の位置から逸れた位置に付勢することを特徴とする請求項３に記載の光モジュール。
【請求項５】
前記ベイルと、前記スライド板には、それぞれ前記所定角度の位置を保持する保持部が設けられたことを特徴とする請求項３に記載の光モジュール。
【請求項６】
前記ケースには、前記スライド板のスライド後において前記ケースを前記ケージから取り外すとき、前記係合片の前記ケージの係合片との係合を防ぐための傾斜面が設けられたことを特徴とする請求項１に記載の光モジュール。
【請求項７】
前記ベイルと、前記スライド板は、金属材料により一体化されたことを特徴とする請求項１に記載の光モジュール。
【請求項８】
前記ベイルと、前記スライド板は、プラスチック成型材料により一体化されたことを特徴とする請求項１に記載の光モジュール。
【発明の詳細な説明】
【技術分野】
【０００１】
本発明は、ケージに対し着脱自在な光モジュールに関する。
【背景技術】
【０００２】
近年、外形や特性等のインターフェースが規定された業界標準（以下、ＭＳＡ：Ｍｕｌｔｉ  Ｓｏｕｒｃｅ  Ａｇｒｅｅｍｅｎｔ）のプラガブル型光モジュールが採用されてきている。このプラガブル型光モジュールは、ケース（ケージ）に対し光モジュールが挿抜可能となっている。この光モジュールに対しては、ケージ形状が簡素で、組み立て性がよく、ケージに対して簡単に着脱できることが要求されている。光モジュールとしては、たとえば光トランシーバがある。【０００３】
光モジュールは、前面に光コネクタの挿抜口が設けられ、また、光モジュールの前面には、ケージから光モジュールの挿抜を操作するためのベイルが回動自在に設けられている。ケージから光モジュールを取り外すときには、ベイル部分を持って引き出しておこなう。また、ケージに対する光モジュールの取り付け時には、光モジュールをケージ方向に押し込んでおこなう。【０００４】
また、ベイルの回動に連動して係合機能が動作するよう構成されており、ケージに対する光モジュールの取り付け時に、光モジュールの前面を開放させた位置（取り付け時位置）にベイルを回動させることにより、ケージの係合部と光モジュールの係合部とが互いに係合し、光モジュールをケージ内に固定保持できる。一方、光モジュールの取り外し時に、ベイルを光モジュールと平行な水平位置（取り外し時位置）に回動させることにより、ケージと光モジュールの係合部の係合が解除され、ケージから光モジュールを取り外せる状態になる。【０００５】
このような光モジュールとして、スプリングやカム等の着脱機構を設けてベイルの回動に付勢力を与え、ベイルが取り付け時位置に回動している状態では、光モジュールをケージに固定保持する技術が開示されている（たとえば、下記特許文献１、２参照。）。
【先行技術文献】
【特許文献】
【０００６】
【特許文献１】特表２００７−５２２５３０号公報
【特許文献２】特表２００５−５２２８５３号公報
【発明の概要】
【発明が解決しようとする課題】
【０００７】
しかしながら、従来の着脱機構では、部品点数が多く、部品コストが高くなるとともに、組み立てを容易におこなうことができなかった。たとえば、ベイルと係合部とがそれぞれ別部品であるため、各部品の寸法公差や部品の曲げ度合いなどが相互の部品間の組み立て精度に影響を及ぼし、歩留まりを向上させることが難しかった。組み立て精度がばらつくと、ベイルの回動状態と、係合部での係合状態が設計通りに連動せず、ケージに対する光モジュールの係合状態が不安定になることも考えられる。また、着脱機構としてスプリングやカムが必要であるため、これらを組み込む作業に手間がかかった。【０００８】
開示の技術は、上述した問題点を解消するものであり、少ない部品点数で、精度よく簡単に組み立てることができる光モジュールを提供することを目的とする。
【課題を解決するための手段】
【０００９】
上述した課題を解決し、目的を達成するため、開示技術は、ケージに挿抜されるケースの前面に設けられ、回動するベイルと、前記ベイルの回動に連動し、ケースの前後方向にスライドするスライド板と、前記スライド板に設けられ、前記ケージの係合片に係合自在であり、前記ベイルの回動時に連動する前記スライド板のスライドにより係合状態が解除される係合片と、を備え、前記ベイルと前記スライド板は、一体化された板金を折り曲げた状態に形成した。
【発明の効果】
【００１０】
開示の技術によれば、少ない部品点数で、精度よく簡単に組み立てることができるという効果を奏する。
【図面の簡単な説明】
【００１１】
【図１】図１は、実施の形態にかかる光モジュールを示す全体斜視図である（取り付け時位置）。
【図２】図２は、実施の形態にかかる光モジュールを示す全体斜視図である（取り外し時位置）。
【図３】図３は、ベイルとスライド板の一体構造を示す展開図である。
【図４】図４は、ベイルスライダを組み立てた状態を示す側面図である。
【図５−１】図５−１は、ストッパを示す拡大側面図である。
【図５−２】図５−２は、ストッパを示す拡大断面図である。
【図６−１】図６−１は、光モジュールのベイルスライダの動作を示す側面図である（取り付け時位置）。
【図６−２】図６−２は、光モジュールのベイルスライダの動作を示す側面図である（取り外し時位置）。
【図７−１】図７−１は、ケージに対する光モジュールの挿抜状態を示す斜視図である（取り付け時位置）。
【図７−２】図７−２は、ケージに対する光モジュールの挿抜状態を示す斜視図である（取り外し時位置）。
【図８−１】図８−１は、ケージに対する光モジュールの固定状態を示す側面図である。
【図８−２】図８−２は、ケージに対する光モジュールの固定解除動作を示す側面図である（その１）。
【図８−３】図８−３は、ケージに対する光モジュールの固定解除動作を示す側面図である（その２）。
【図９−１】図９−１は、ケージに対する光モジュールの固定状態を示す拡大図である。
【図９−２】図９−２は、ケージに対する光モジュールの固定解除動作を示す拡大図である（その１）。
【図９−３】図９−３は、ケージに対する光モジュールの固定解除動作を示す拡大図である（その２）。
【発明を実施するための形態】
【００１２】
以下に添付図面を参照して、開示技術の好適な実施の形態を詳細に説明する。
【００１３】
（実施の形態）
図１は、実施の形態にかかる光モジュールを示す全体斜視図である。図１に示す状態は、ベイルが取り付け時位置に位置している状態である。取り付け時位置とは、光モジュールをケージに取り付けるときのベイルの回動位置であり、ベイルの初期位置の状態である。
【００１４】
光モジュール１００は、シールドされたケース１０１の前面に光コネクタ１０２が設けられている。ケース１０１内部には、光信号を送信する送信ユニット、および光信号を受信する受信ユニットが設けられており、これら送信ユニット、および受信ユニットは光コネクタ１０２を介して光信号を送受信する。
【００１５】
ケース１０１の前面には、ベイル１０３が回動自在に設けられている。ベイル１０３は、ケース１０１の前面側下端部に位置する軸１０４に回動自在に支持された所定長さの一対のアーム１０５と、アーム１０５，１０５間に連設される操作用の把手部１０６と、を含む。把手部１０６は、樹脂等の手で操作した際に滑りにくい材質で形成されている。図１に示すように、ベイル１０３は、取り付け時位置にあるとき光コネクタ１０２の前面位置から逸れた上方に位置している。
【００１６】
ケース１０１の両側面には、スライダ１１０が設けられる。このスライダ１１０は、ベイル１０３の回動に連動して、ケース１０１の前後方向にスライド自在なスライド板１１１を有する。ケース１０１の両側面には、スライド板１１１の板厚程度のスライド溝１２０がケース１０１の前後方向に溝形成され、スライダ１１０は、スライド溝１２０内部でケース１０１の前後方向にスライドする。
【００１７】
このスライダ１１０は、一端（基端）がベイル１０３に連結されており、ベイル１０３の回動に連動して前後にスライドする。また、スライダ１１０の他端（自由端）には、係合片１１２が設けられており、この係合片１１２は、後述するケージの係合片（ラッチプレート）に係合することにより、ケージに対する光モジュール１００の取り付け状態を固定保持する。
【００１８】
図２は、実施の形態にかかる光モジュールを示す全体斜視図である。図２に示す状態は、ベイルが取り外し時位置に位置している状態である。取り外し時位置とは、光モジュールをケージから取り外すときのベイルの回動位置である。
【００１９】
ベイル１０３は、取り外し時位置のときには、光モジュール１００の引き出し方向と平行な光コネクタ１０２の前面側に位置する。この取り外し時位置の際、スライダ１１０は、ベイル１０３の回動に連動してスライド溝１２０内で後端側に移動し、スライダ１１０の係合片１１２は、ケージの係合片との係合状態が解除される。
【００２０】
スライド溝１２０の後端には、傾斜面１２１が設けられている。傾斜面１２１は、スライド溝１２０の溝の底部を一端とし、光モジュール１００の前後方向に対し連続的に高さが変化し、他端がケース１０１の側面位置に一致するテーパ面である。この傾斜面１２１は、光モジュール１００をケージから取り外すとき、ケージの係合片に接触して係合片１１２を外側に押し出し、係合片１１２部分を通過させる（係合片同士の再度の係合を防ぐ）ための解除部として機能する。
【００２１】
図３は、ベイルとスライド板の一体構造を示す展開図である。上述したベイル１０３と、スライダ１１０は、図３に示すように、ベイルスライダ３００として一体形成されている。ベイルスライダ３００は、たとえば、ベリリウム銅や同等の材質の金属板をプレス加工して形成される。これらベイル１０３と、スライダ１１０との間には、所定長さのバネ部３０１が形成され、このバネ部３０１により、ベイル１０３とスライダ１１０とを連結している。
【００２２】
ベイルスライダ３００は、たとえば板厚が０．５ｍｍであり、バネ部３０１については、０．０３ｍｍ以下となるよう部分的にプレス圧を変更させ薄厚に形成する。また、バネ部３０１の長さ（光モジュール１００の幅方向に沿った長さ）は、少なくとも３ｍｍ以上の長さとする。ベイルスライダ３００の材質は、プラスチック成型材料を用いてもよく、たとえば、バネ部３０１部分にバネ性を持たせることができる液晶ポリマーを用いることができる。
【００２３】
そして、このベイルスライダ３００は、図３に示す一点鎖線の部分で折り曲げて、ベイル１０３と、スライダ１１０が形成される。バネ部３０１については、組み立てた際に所定の曲率を有することにより、ベイル１０３の回動力をスライド板１１１に伝達させることができ、かつ、バネ力を維持することができる。この付勢力は、スライド板１１１の位置を基準として、ベイル１０３を取り付け時位置（初期位置）に付勢する。この取り付け時位置は、光モジュール１００の固定保持位置である。そして、バネ部３０１は、ベイル１０３を取り外し時位置に回動させたときに、バネ力を保持でき、かつスライド板１１１をスライドさせる際の推力に負けない座屈応力を発生させる。
【００２４】
図３に記載した各部を説明する。ベイル１０３側には、バネ部３０１に接続され、両端にアーム１０５，１０５が接続される中間体３０２が設けられる。アーム１０５，１０５の基端部には、軸１０４が軸支するための軸穴１０５ａがそれぞれ開口される。また、一対のアーム１０５，１０５先端には、それぞれ折曲部１０５ｂ，１０５ｂが設けられ、この折曲部１０５ｂ，１０５ｂを折り曲げた部分に把手部１０６が取り付けられる。アーム１０５の略中間部分には、ベイル１０３の取り付け時位置を保持するための保持部（ストッパ）１０５ｃが形成されている（詳細は後述する）。ストッパ１０５ｃ部分の弾性力を付与するために、アーム１０５におけるストッパ１０５ｃの周囲には、ストッパ１０５ｃ部分を突出させるための空間を形成する溝１０５ｃｃが設けられている。
【００２５】
スライダ１１０側には、バネ部３０１に接続され、両端にスライド板１１１，１１１が接続される中間体３０３が設けられる。スライド板１１１の基端には、スライド動作時に軸１０４にかからないようにするための長穴状の逃げ溝３０４が形成されている。また、スライド板１１１の基端には、ベイル１０３のストッパ１０５ｃの回動位置に対応して、ベイル１０３が取り付け時位置のとき、アーム１０５の一部分に、ストッパ１０５ｃに係合する保持部（保持溝）３０５が設けられている。また、スライド板１１１の基端には、光モジュール１００の前方上部に設けられる摺接片に摺接する摺接部３０６が設けられている。摺接部３０６は、光モジュール１００の摺接片上をスライド自在である。
【００２６】
スライド板１１１の自由端には、係合片１１２にバネ力を持たせるためのバネ片３０７と、傾斜面１２１に接しないよう、中央部に端部から前後方向に所定長さを有して長溝状に形成された逃げ溝３０８が形成されている。バネ片３０７は、スライド溝１２０の底面方向にバネ力を発生させる。係合片１１２は、逃げ溝３０８を挟んでスライド板１１１の高さ方向に２箇所形成されている。
【００２７】
図４は、ベイルスライダを組み立てた状態を示す側面図である。図３に示した板状のベイルスライダ３００を折り曲げることにより、ベイル１０３と、スライダ１１０を形成することができる。また、これらベイル１０３と、スライダ１１０との間のバネ部３０１は、図示のように、９０°の角度範囲で円弧状に曲がる形となり、ベイル１０３と、スライダ１１０との間にバネ力を発生させる。
【００２８】
ベイルスライダ３００のバネ部３０１は、図４に示す状態、すなわち、水平なスライダ１１０に対しベイル１０３が直交して上部に位置する（９０°起立した状態）取り付け時位置の状態が安定状態とされる。このため、ベイル１０３が図２に示すように、取り外し時位置に回動したときには、初期状態である取り付け時位置に戻ろうとする力を発生させる。このように、ベイルスライダ３００は、ベイル１０３の回動運動をスライダ１１０の往復運動に直接変換するとともに、ベイル１０３とスライダ１１０との間に設けたバネ部３０１により、ベイル１０３とスライダ１１０との間に初期状態（取り付け時位置）に復帰させる付勢力を付与している。
【００２９】
また、ベイル１０３が取り付け時位置の際、アーム１０５に設けられたストッパ１０５ｃがスライダ１１０の保持溝３０５部分に係合し、固定保持することができる。これにより、ケージに光モジュール１００を装着した状態において、ベイル１０３は光コネクタ１０２の装着部分を覆う如く落ちることを防止でき、光コネクタ１０２に対する挿抜操作を阻害せず、光コネクタの挿抜の操作性を向上できる。
【００３０】
図５−１および図５−２は、それぞれストッパを示す拡大図である。図５−１は、ストッパの拡大側面図、図５−２は、ストッパの拡大断面図である。これらの図に示すように、ベイル１０３のストッパ１０５ｃは、アーム１０５を部分的にプレス加工することにより、凸状に形成されている。これに対応して、スライダ１１０の保持溝３０５は、スライド板１１１を部分的にプレス加工することにより、凹状に形成されている。これにより、ベイル１０３の凸状のストッパ１０５ｃは、取り付け時位置において、スライダ１１０の凹状の保持溝３０５に嵌り込み、この位置を固定保持することができる。
【００３１】
（ベイルスライダの動作）
図６−１および図６−２は、それぞれ光モジュールのベイルスライダの動作を示す側面図である。図６−１は、ベイル１０３を初期位置である取り付け時位置に回動させた状態を示す図、図６−２は、ベイル１０３を取り外し時位置に回動させた状態を示す図である。
【００３２】
図６−１に示す取り付け時位置は、ベイルスライダ３００のベイル１０３に設けられた把手部１０６を手で操作し、軸１０４を中心に上部位置に回動させる。これにより、ストッパ１０５ｃが保持溝３０５に嵌り、ベイル１０３の位置を固定している。バネ部３０１は、この取り付け時位置の方向に付勢されており、ベイル１０３は、取り付け時位置を安定して保持できる。このとき、スライド板１１１は、バネ部３０１を介して前面側に移動した状態にある。そして、スライド板１１１の係合片１１２は、傾斜面１２１の位置より前面に位置している。
【００３３】
一方、図６−２に示す取り外し時位置は、ベイルスライダ３００のベイル１０３に設けられた把手部１０６を手で操作し、軸１０４を中心に光モジュール１００の前面に回動させる。この際、ストッパ１０５ｃは保持溝３０５から外れる。また、ベイル１０３の回動に伴い、中間体３０２が光モジュール１００の後部に移動する。この移動量は、バネ部３０１を介してスライド板１１１を後部側に移動させる。これにより、スライド板１１１の係合片１１２は、傾斜面１２１より後部に位置する。また、バネ部３０１は、付勢力と逆の力が加えられた状態にあり、取り付け時位置の方向に戻ろうとする力を発生させる。
【００３４】
（ケージに対する光モジュールの挿抜操作）
図７−１および図７−２は、ケージに対する光モジュールの挿抜状態を示す斜視図である。ケージ７００は、前面の開口部７０１から光モジュール１００を挿抜可能に収容するシールドされた枠体である。このケージ７００は、底部に設けられた複数のピン７０２を図示しない基板に差し込みハンダ付け等により基板上に固定される。ケージ７００内部にはコネクタが設けられ、光モジュール１００と電気的に接続される。
【００３５】
また、ケージ７００の両側部には、光モジュール１００の係合片１１２に係合する係合片（ラッチプレート）７０３が設けられている。このラッチプレート７０３は、ケージ７００の側面に略コ字型の切り込みを形成し、後部側の端部７０３ａがケージ７００内部（光モジュール１００側）に突出した状態で保持されるよう、傾斜状に折り曲げてなる。このラッチプレート７０３は、内側（光モジュール１００の側面）からの力が加わっている間は、外側に開くが、力が加わらなくなれば、バネ力により元の状態（端部７０３ａがケージ７００内部に突出する状態に戻る。
【００３６】
図７−１に示すように、ケージ７００に対する光モジュール１００の取り付けは、ベイル１０３を取り付け時位置に回動させた状態で、光モジュール１００をケージ７００の開口部７０１を介して内部に押し込むだけでよい。これにより、光モジュール１００の係合片１１２がケージ７００のラッチプレート７０３に係合して、固定保持できるようになる（係合状態の詳細は後述する）。図７−１に示す状態は、ケージ７００に対し、光モジュール１００が規定の位置に取り付けられた状態を示す図である。この後、光コネクタ１０２に光ファイバ等の相手側コネクタが差し込まれ、光信号を送受できるようになる。
【００３７】
なお、ベイル１０３を取り外し時位置に回動させた状態であっても、光モジュール１００をケージ７００に取り付けることができる。この場合、ケージ７００に対して光モジュール１００を規定の位置まで押し込んだ後に、ベイル１０３を取り付け時位置に回動させることにより、光モジュール１００をケージ７００に固定保持できるようになる。
【００３８】
図７−２に示すように、ケージ７００からの光モジュール１００の取り外しは、ベイル１０３を取り外し時位置に回動させた状態で、把手部１０６を指等で引っ掛け、光モジュール１００をケージ７００の前面に引き出せばよい。
【００３９】
（光モジュールの固定および固定解除動作）
図８−１〜図８−３は、それぞれケージに対する光モジュールの固定および固定解除動作を示す側面図である。図８−１は、ケージに対する光モジュールの固定状態を示す側面図である。ケージ７００に光モジュール１００を取り付ける際には、図８−１に示すように、ケージ７００に光モジュール１００を押し込み装着するだけでよい。
【００４０】
図８−１に示すように、ベイル１０３が取り付け時位置に位置した状態において、スライド板１１１の係合片１１２は、ケージ７００のラッチプレート７０３の端部７０３ａに係合する。これにより、ケージ７００に対して光モジュール１００を取り付けた位置を固定保持できる。同時に、ラッチプレート７０３の端部７０３ａは、係合片１１２の前面側に入り込む形で係合しているため、ケージ７００に対する光モジュール１００の抜け止めができる。
【００４１】
つぎに、ケージに対する光モジュールの固定解除動作を説明する。この固定解除は、
１．ベイル１０３を取り外し時位置に回動させる（図８−１）。
２．光モジュール１００を取り外す（図８−２）。
という簡単な操作でおこなえる。
【００４２】
図８−２は、ケージに対する光モジュールの固定解除動作を示す側面図である。図８−１に示した光モジュール１００の固定状態において、ベイル１０３を取り外し時位置に回動させることにより、スライド板１１１が後部にスライドし、スライド板１１１の係合片１１２は、ケージ７００のラッチプレート７０３の端部７０３ａとの係合状態が解除され、端部７０３ａの後部方向に所定距離離れて位置する。
【００４３】
図８−３は、ケージに対する光モジュールの固定解除動作を示す側面図である。図８−２の操作後、把手部１０６を持ち、光モジュール１００をケージ７００の前方に引き出すことにより、光モジュール１００全体が前面側に移動する。これにより、ケージ７００のラッチプレート７０３は、傾斜面１２１の傾斜に沿ってケージ７００の外側に徐々に押し広げられる。
【００４４】
傾斜面１２１の後部位置（図中符号１２１ａ）は、光モジュール１００のケース１０１の側面と同一面であり、スライド板１１１の係合片１１２は、ケース１０１の側面よりも凹んだスライド溝１２０の内部に収まっている。このため、図８−３に示した状態以降においても、光モジュール１００を引き出し続けることにより、係合片１１２は、ケージ７００のラッチプレート７０３に係合せずに、ラッチプレート７０３部分を通過することができる。これにより、光モジュール１００をケージ７００から取り外すことができる。
【００４５】
図９−１〜図９−３は、それぞれケージに対する光モジュールの固定および固定解除動作を示す拡大図である。これら図９−１〜図９−３は、図８−１〜図８−３にそれぞれ対応した拡大図である。また、各図の（ａ）は、部分拡大斜視図、（ｂ）は、部分拡大平断面図である。
【００４６】
図９−１〜図９−３の（ｂ）に示すように、光モジュール１００のケース１０１の側面に形成されるスライド溝１２０の後部には、一段深い段差溝１２０ａが形成されている。この段差溝１２０ａは、前後の長さが、ベイル１０３の回動によるスライド板１１１のスライド量に対応した長さとされている。また、段差溝１２０ａの深さは、スライド板１１１の係合片１１２の高さ（折り曲げによる突出量）に対応している。この係合片１１２は、スライド板１１１のバネ片３０７のバネ力により、段差溝１２０ａの内部に収まるよう付勢されている。これにより、係合片１１２は、スライド溝１２０（厳密には段差溝１２０ａ）から突出せず、光モジュール１００のケース１０１の側面に突出しない状態が保たれる。
【００４７】
図９−１に示すように、光モジュール１００をケージ７００に装着した状態では、ケージ７００のラッチプレート７０３の端部７０３ａは、光モジュール１００のケース１０１の側面方向に傾斜しており、スライド板１１１の係合片１１２に係合する。これにより、ケージ７００に対する光モジュール１００の前方への移動が禁止でき、光モジュール１００を抜け止めし、固定保持できる。
【００４８】
ところで、スライド板１１１の係合片１１２は、図９−１に示すように、バネ性を有しており、段差溝１２０ａが設けられている箇所では、係合片１１２が図示のように段差溝１２０ａの方向に傾斜する。光モジュール１００をケージ７００に装着する際、この係合片１１２は、スライド溝１２０部分を通過する際には、スライド板１１１と同一面となってこのスライド溝１２０部分を後部に移動する。
【００４９】
図９−２に示すように、ケージ７００から光モジュール１００を取り外す際には、はじめに、ベイル１０３を取り外し時位置に回動させることにより、スライド板１１１が後部にスライドし、スライド板１１１の係合片１１２は、ケージ７００のラッチプレート７０３の端部７０３ａとの係合状態が解除される。この係合片１１２は、ラッチプレート７０３の端部７０３ａの後部方向に所定距離離れて位置する。
【００５０】
続いて、図９−３に示すように、把手部１０６を持ち、光モジュール１００をケージ７００の前方に引き出すことにより、光モジュール１００全体が前面側に移動する。これにより、ケージ７００のラッチプレート７０３は、端部７０３ａが傾斜面１２１の傾斜に沿って滑り上がり、ケージ７００の外側に徐々に押し広げられる。
【００５１】
そして、傾斜面１２１の後部位置（図中符号１２１ａ）は、光モジュール１００のケース１０１の側面と同一面であり、スライド板１１１の係合片１１２は、ケース１０１の側面よりも凹んだスライド溝１２０の内部に収まっている。このため、図９−３に示した状態以降においても、光モジュール１００を引き出し続けることにより、係合片１１２は、ケージ７００のラッチプレート７０３に係合せずに、ラッチプレート７０３部分を通過することができる。これにより、光モジュール１００をケージ７００から取り外すことができる。
【００５２】
ケージ７００から光モジュール１００を取り外した後、ベイル１０３はバネ部３０１のバネ力により、初期状態である取り付け時位置に復帰する力により、ベイル１０３のアーム１０５は、保持溝３０５に保持することができる。
【００５３】
上述した実施の形態によれば、ベイル１０３とスライダ１１０をベイルスライダ３００として一体化して形成したので、部品点数を削減できるとともに、一体化したベイルスライダ３００を折り曲げるだけで容易に製造できるようになる。また、ベイルスライダ３００は、ベイル１０３の回動運動をスライダ１１０の往復運動に直接変換する簡素な構造であり、カムとカム溝等を用いる必要がなく、部品点数の削減、歩留まりを向上でき、組み立てを容易におこなえるようになる。
【００５４】
また、ベイルスライダ３００は、バネ部３０１のバネ力により、ベイル１０３が取り付け時位置に復帰するため、ケージ７００から光モジュール１００を取り外した状態においては、常時ベイル１０３を取り付け時位置に固定保持できる。これにより、光モジュール１００は、常にケージ７００に装着可能な状態にすることができ、手動でベイル１０３を初期状態の位置に戻す操作を省くことができ、操作性を向上できる。
【符号の説明】
【００５５】
１００  光モジュール
１０１  ケース
１０２  光コネクタ
１０３  ベイル
１０４  軸
１０５  アーム
１０５ｃ  ストッパ
１０６  把手部
１１０  スライダ
１１１  スライド板
１１２  係合片
１２０  スライド溝
１２０ａ  段差溝
１２１  傾斜面
３００  ベイルスライダ
３０１  バネ部
３０７  バネ片
７００  ケージ
７０３  ラッチプレート（係合片）
７０３ａ  端部
【図１】
2012132018.tif 000003
【図２】
2012132018.tif 000004
【図３】
2012132018.tif 000005
【図４】
2012132018.tif 000006
【図５−１】
2012132018.tif 000007
【図５−２】
2012132018.tif 000008
【図６−１】
2012132018.tif 000009
【図６−２】
2012132018.tif 000010
【図７−１】
2012132018.tif 000011
【図７−２】
2012132018.tif 000012
【図８−１】
2012132018.tif 000013
【図８−２】
2012132018.tif 000014
【図８−３】
2012132018.tif 000015
【図９−１】
2012132018.tif 000016
【図９−２】
2012132018.tif 000017
【図９−３】
2012132018.tif 000018
【国際調査報告】
2012132018.tif 000019
2012132018.tif 000020
2012132018.tif 000021
2012132018.tif 000022